(57)【要約】【課題】浴室内でシャワー浴をしながら、容易かつ衛生的に足湯浴をすることができる足湯容器を提供すること。詳細には、シャワー浴の後に容器内に溜まった湯水が排水しやすく、容器内面が乾燥されやすく、衛生的に管理しやすい足湯容器を提供すること【解決手段】四角形状とされた底板１０と、前記底板から起立された向かい合う二対の壁板とからなる足湯容器において、対をなす第１の壁板２０には、底辺両端から斜め上方に向けて折目２１が備えられ、各々の第１の壁板が前記折目に沿って外方に折り倒されると共に、対をなす第２の壁板３０が内方に折り倒され、平坦に折りたたまれる足湯容器に、各々の第１の壁板２０が、前記底板１０から延びるように前記足湯容器が折りたたまれた状態で、少なくとも各々の第２の壁板３０の内面と前記底板１０とを密着させない密着防止手段を備えさせた足湯容器とした。【選択図】図１
2017149716.tif 000002
【特許請求の範囲】
【請求項１】
四角形状とされた底板と、前記底板から起立された向かい合う二対の壁板とからなる足湯容器において、
対をなす第１の壁板には、底辺両端から斜め上方に向けて折目が備えられ、各々の第１の壁板が前記折目に沿って外方に折り倒されると共に、対をなす第２の壁板が内方に折り倒され、平坦に折りたたまれる足湯容器であって、
各々の第１の壁板が、前記底板から延びるように、前記足湯容器が折りたたまれた状態で、少なくとも各々の第２の壁板の内面と前記底板とを密着させない密着防止手段を備えている、
ことを特徴とする足湯容器。
【請求項２】
前記密着防止手段が、前記壁板のいずれかの内面に備えられた離間手段を含み、
各々の第１の壁板が、前記底板から延びるように、前記足湯容器が折りたたまれた状態で、前記離間手段が前記底板に接する、
ことを特徴とする請求項１に記載の足湯容器。
【請求項３】
前記密着防止手段が板体をなす湾曲促進手段を含み、
各々の第１の壁板が、前記底板から延びるように、前記足湯容器が折りたたまれた状態で、前記板体が、前記底板又は前記壁板の少なくともいずれかを外方に凸に湾曲させる、
ことを特徴とする請求項１又は請求項２に記載の足湯容器。
【請求項４】
各々の第１の壁板の中央部と、前記底板とが同一面となるように前記足湯容器が折りたたまれた状態で、
第１の壁板と第２の壁板の二つの接縁天部を経由した、離間した各々の第１の壁板の向かい合う折目の上端の最短距離が、前記折目の上端の直線距離よりも長いことが前記密着防止手段とされる、
ことを特徴とする請求項１乃至請求項３のいずれか一項に記載の足湯容器。
【請求項５】
各々の第１の壁板の外方部と、第２の壁板が同一面となるように前記足湯容器が折りたたまれた状態で、
第１の壁板と前記底板の二つの接縁を経由した、離間した各々の第１の壁板の向かい合う折目の上端の最短距離が、前記折目の上端の直線距離よりも長いことが前記密着防止手段とされる、
ことを特徴とする請求項１乃至請求項３のいずれか一項に記載の足湯容器。
【請求項６】
対をなす第１の壁板の少なくともいずれか一方が吊下げ手段を有し、
足湯容器を平坦に延びるように折り倒した状態で、前記吊下げ手段を介して前記足湯容器が垂直に吊下げ可能とされている、
ことを特徴とする請求項１乃至請求項５のいずれか一項に記載の足湯容器。
【発明の詳細な説明】
【技術分野】
【０００１】
本発明は、浴室内でシャワー浴をしながら、容易かつ衛生的に足湯浴をすることができる足湯容器に関する。詳細には、シャワー浴の後に容器内に溜まった湯水が排水しやすく、容器内面が乾燥されやすく、衛生的に管理しやすい足湯容器に関する。
【背景技術】
【０００２】
従来は、足湯容器は、下半身の血液循環の向上等の治療を目的として、居室内で椅子に座った姿勢で使用されていた。そのため、足湯容器内の湯水がこぼれにくいように、足湯容器は変形しにくく、一定の形状を有する容器とされていた。【０００３】
従来、足湯容器の多くは、天面が開放された矩形容器とされている。足湯浴をするための足湯容器は大きく、湯水の量が多いため、女性や力の弱い高齢者等は、足湯浴後の排水に手間がかかっていた。排水が容易なように、足湯容器を浴室内に置こうとしても、浴室のスペースが限られるため、大きな容器を浴室内に置いたままにすることはできなかった。【０００４】
一方、排水後に足湯容器の内面が濡れたままだと、雑菌が発生する可能性があり、衛生的に使用することができなかった。更に、複数の異なる足湯浴者が使用する場合や、足湯浴者の足に傷がある場合等には、より衛生的な足湯容器であることが求められていた。【０００５】
特許文献１と特許文献２には、折りたたみ可能な容器の技術が開示されている。特許文献１には、椅子に座った姿勢で使用される足湯容器ではあるが、折りたたんで収容できるようにした足湯容器の技術が開示されている。胴部をシート状の軟質合成樹脂製とすると共に、着脱自在の芯材を、胴部の高さ方向に装着し、芯材が胴部に装着された状態では足湯容器の形状が保持され、芯材を取り外した状態では胴部が折りたたみ可能とされている。【０００６】
この足湯容器は、椅子に座った状態で使用される足湯容器であり、湯水や石鹸の泡等により濡れた浴室内で、泡等で濡れた軟質樹脂性の胴部に、芯材を装着することは困難で、芯材が外れた場合には、素足を傷つける危険性もあった。【０００７】
更に、胴部が伸ばされた状態のままでは、排水の際に湯水が入った足湯容器を持ち上げて傾ける必要があり、排水が困難であった。芯材を取り外して胴部を縮めた状態とすれば、排水が容易になる反面、折りたたまれて接した胴部の内壁部に付着した湯水が乾燥されにくく、容器内部を衛生的に保つことが困難であるという課題があった。【０００８】
特許文献２には、折りたたみ可能な洗面器の技術が開示されている。特許文献２に記載された桝の形状をなす洗面器には、起立した向かい合う壁板のうち、折りたたまれる側の壁板には、底縁両端から天縁中央部に向かう斜めの折目が備えられ、全ての壁板が内方に向けて折りたたみ可能とされている。また、折目を有する壁板の天縁に沿って形状記憶合金からなる芯材が備えられている。洗面器が折りたたまれた状態から、各々の壁板を手で起こし起立させた状態とし、湯水を溜めれば、形状記憶合金が加温され、洗面器が起立した形状に保持される。【０００９】
しかし、この容器の技術を、シャワー時に使用する足湯容器に適用しても、足湯容器に溜まった湯水を排水しようとすると、足湯容器を持ち上げて傾ける必要があり排水しにくく、無理に壁板を外方に倒して排水しようとすると、形状記憶合金が折れ、容器が破損しやすいという課題があった。また、排水して容器が空となった後には、壁板が内方に折れ曲がり、折れ曲がって接した胴部の壁部に付着した湯水が乾燥しにくく、容器内部を衛生的に保つことが困難であるという課題もあった。【００１０】
そこで、本願の発明者は、足湯容器を持ち上げなくても容易に排水することができ、排水後には足湯容器内面が乾燥されやすく、足湯容器を衛生的に保つことが容易な足湯容器を提供することを課題とした。
【先行技術文献】
【特許文献】
【００１１】
特許文献１：特開２００３−１８０７８９号公報
特許文献２：特開２０１１−１１０４１６号公報
【発明の概要】
【発明が解決しようとする課題】
【００１２】
本発明は、浴室内でシャワー浴をしながら、容易かつ衛生的に足湯浴をすることができる足湯容器を提供することを課題としている。詳細には、シャワー浴の後に容器内に溜まった湯水が排水しやすく、容器内面が乾燥されやすく、衛生的に管理しやすい足湯容器を提供することを課題としている。【００１３】
本発明の第１の発明の足湯容器は、四角形状とされた底板と、前記底板から起立された向かい合う二対の壁板とからなる足湯容器において、対をなす第１の壁板には、底辺両端から斜め上方に向けて折目が備えられ、各々の第１の壁板が前記折目に沿って外方に折り倒されると共に、対をなす第２の壁板が内方に折り倒され、平坦に折りたたまれる足湯容器であって、各々の第１の壁板が、前記底板から延びるように、前記足湯容器が折りたたまれた状態で、少なくとも各々の第２の壁板の内面と前記底板とを密着させない密着防止手段を備えていることを特徴としている。【００１４】
四角形状は、矩形形状に限定されない。大きさ・高さも限定されず、例えば、少なくとも踝までが湯水に浸かることができる大きさ・高さとされればよい。底板及び壁板の材質は、柔軟性のある樹脂製のシート体であってもよく、剛性のある樹脂製の板体であってもよく、防水紙であってもよく限定されず、例えば、ポリ塩化ビニル等の樹脂製シート体や、パラフィン紙、合成樹脂製の合成紙等であればよい。また、部位毎に異なった材質とされていてもよい。【００１５】
足湯容器を、樹脂製シート体により構成させる場合には、平坦なシート体を組み合わせて、稜線部分を熱溶着し、足湯容器を形成させればよい。樹脂製シート体により構成させると、耐久性が高く、繰り返し使用できる足湯容器を提供することができる。一方、防水紙、例えばパラフィン紙から構成させる場合には、紙を折りたたんで、壁板を接着剤等により接着して組立て、湯水を溜める容器とすればよく、少量であっても、安価に足湯容器を提供することができる。【００１６】
対をなす第１の壁板は、折目に沿って、外方に倒すように折りたたみ容易とされている。そのため、各々の第１の壁板のいずれかを外方に倒すだけで、足湯容器に溜まった湯水が排水される。また、各々の第１の壁板が垂直方向となるように、第１の壁板を倒して吊下げれば、足湯容器の内部に付着した湯水が、足湯容器内面に沿って排水される。これにより、湯水が溜まって、重くなった足湯容器を持ち上げて傾ける必要がなく排水が容易である。また、足湯容器の内面が乾燥されやすく、足湯容器が衛生的に管理できる。【００１７】
折目は、材質が紙質からなる場合は、折り癖をつけるだけでもよい。材質が樹脂製のシート体からなる場合は、折目の部分の性状が変えられてもよく、折り癖をつけるだけでもよく、材質を変えても、厚さを変えても、シート体よりも硬い板体を貼着させてもよく、限定されない。折目の傾斜角度は、限定されない。【００１８】
密着防止手段は、各々の壁板を折り倒した状態で、各々の壁板の内面と底板とが密着しないようにされればよく、その形態は限定されない。例えば、いずれかの壁板に離間手段が備えさせて、各々の壁板と底板との間に隙間をあけてもよい。底板又は壁板のいずれかに、板面を反らせる樹脂板を備えさせ、板面を反らせることにより、壁板の内面と底板との間に隙間をあけてもよい。両端から斜め上方に向けての折目の角度を、４５度とは異ならせることを密着防止手段とし、第１の壁板の中央部と外方部、及び第２の壁板と底板との間に隙間があくようにしてもよい。折目の近くで、第１の壁板の中央部と外方部の一部に接する部分があっても、少なくとも第２の壁板と底板との間に隙間があいているため、足湯容器内の湯水が排水されやすい。【００１９】
本発明の第１の発明によれば、各々の第１の壁板が底板から延びるように折り倒された状態で、足湯容器の壁板同士及び壁板と底板の間に隙間があいた状態とすることができる。浴室の壁などに垂直方向に吊下げれば、足湯容器の内部に付着した湯水が、足湯容器内面に沿って滴り落ち、僅かな水分が残っていても、水分が蒸発し、足湯容器の内面が乾燥され、衛生的に足湯容器を使用することができる。【００２０】
これにより、浴室内でシャワー浴をしながら足湯浴をする場合であっても、シャワー浴の後に容器内に溜まった湯水が排水しやすく、衛生的に足湯浴ができるという、従来にない有利な効果が奏される。【００２１】
本発明の第２の発明は、第１の発明の足湯容器であって、前記密着防止手段が、前記壁板のいずれかの内面に備えられた離間手段を含み、各々の第１の壁板が、前記底板から延びるように、前記足湯容器が折りたたまれた状態で、前記離間手段が前記底板に接することを特徴としている。【００２２】
離間手段の形状、数等はいずれも限定されない。離間手段を設ける場所は、第１の壁板又は第２の壁板の内面のいずれかの位置であればよい。離間手段を折り立てられる舌片とした場合には、足湯容器が乾燥された後には、舌片を壁板に沿うように折り込んで、底板と各々の壁板の内面との隙間をなくし、足湯容器全体を平坦な状態に折りたたむようにすればよい。第２の発明によれば、各々の第１の壁板が底板から延びるように折り倒された状態で、足湯容器の壁板同士及び壁板と底板の間に隙間があき、足湯容器の内面の密着が防止され、足湯容器が乾燥されやすく、衛生的に足湯容器を使用することができる。【００２３】
本発明の第３の発明は、第１又は第２の発明の足湯容器であって、前記密着防止手段が板体をなす湾曲促進手段を含み、各々の第１の壁板が、前記底板から延びるように、前記足湯容器が折りたたまれた状態で、前記板体が、前記底板又は前記壁板の少なくともいずれかを外方に凸に湾曲させることを特徴としている。【００２４】
底板又は壁板の双方、又はいずれか一方に、板体を外方に凸をなすように湾曲させる湾曲促進手段が備えられ、折り倒された足湯容器の内側に隙間があけられる。第３の発明によれば、各々の第１の壁板が底板から延びるように折り倒された状態で、足湯容器の壁板同士及び壁板と底板の間に隙間があき、足湯容器の内面の密着が防止され、足湯容器が乾燥されやすく、衛生的に足湯容器を使用することができる。【００２５】
本発明の第４の発明は、第１から第３の発明の足湯容器であって、各々の第１の壁板の中央部と、前記底板とが同一面となるように前記足湯容器が折りたたまれた状態で、第１の壁板と第２の壁板の二つの接縁天部を経由した、離間した各々の第１の壁板の向かい合う折目の上端の最短距離が、前記折目の上端の直線距離よりも長いことが前記密着防止手段とされることを特徴としている。【００２６】
各々の第１の壁板の外方部と、各々の第２の壁板とが共に、第１の壁板の中央部と底板とがなす同一面から上方に凸をなすように膨らんだ状態とされる。第４の発明によれば、各々の第１の壁板が底板から延びるように折り倒された状態で、足湯容器の上方側となる面が上に折れ曲がって、足湯容器の壁板同士及び壁板と底板の間に隙間があき、足湯容器の内面の密着が防止され、足湯容器が乾燥されやすく、衛生的に足湯容器を使用することができる。【００２７】
本発明の第５の発明は、第１から第３の発明の足湯容器であって、各々の第１の壁板の外方部と、第２の壁板が同一面となるように前記足湯容器が折りたたまれた状態で、第１の壁板と前記底板の二つの接縁を経由した、離間した各々の第１の壁板の向かい合う折目の上端の最短距離が、前記折目の上端の直線距離よりも長いことが前記密着防止手段とされることを特徴としている。【００２８】
各々の第１の壁板の中央部が、底板から屈曲されるようにして上方に上がり、第１の壁板の中央部と底板とは、第１の壁板の外方部と第２の壁板とがなす同一面から、下方に凸をなすように膨らんだ状態とされる。第５の発明によれば、各々の第１の壁板が底板から延びるように折り倒された状態で、足湯容器の下方側となる面が下に折れ曲がって、足湯容器の壁板同士及び壁板と底板の間に隙間があき、足湯容器の内面の密着が防止され、足湯容器が乾燥されやすく、衛生的に足湯容器を使用することができる。【００２９】
本発明の第６の発明は、第１から第５の発明の足湯容器であって、対をなす第１の壁板の少なくともいずれか一方が吊下げ手段を有し、足湯容器を平坦に延びるように折り倒した状態で、前記吊下げ手段を介して前記足湯容器が垂直に吊下げ可能とされていることを特徴としている。【００３０】
各々の第１の壁板が底板から延びるように折り倒された状態で吊下げることにより、足湯容器の中に湯水を残さないで排水することが可能となる。これにより、足湯容器が嵩張らないように折りたたまれた状態で吊下げることができ、従来足湯容器を使うことができなかった浴室でも、日常的に足湯容器を使うことができるという有利な効果を奏する。
【発明の効果】
【００３１】
・本発明の第１の発明によれば、各々の第１の壁板が底板から延びるように折り倒された状態で、足湯容器の壁板同士及び壁板と底板の間に隙間があいた状態とすることができる。浴室の壁などに垂直方向に吊下げれば、足湯容器の内部に付着した湯水が、足湯容器内面に沿って滴り落ち、僅かな水分が残っていても、水分が蒸発し、足湯容器の内面が乾燥され、衛生的に足湯容器を使用することができる。
・本発明の第２から第５の発明によれば、各々の第１の壁板が底板から延びるように折り倒された状態で、足湯容器の壁板同士及び壁板と底板の間に隙間があき、足湯容器の内面の密着が防止され、足湯容器が乾燥されやすく、衛生的に足湯容器を使用することができる。
・本発明の第６の発明によれば、足湯容器を嵩張らないように折りたたまれた状態で吊下げることができ、従来足湯容器を使うことができなかった浴室でも、日常的に足湯容器を使うことができるという有利な効果を奏する。
【図面の簡単な説明】
【００３２】
【図１】足湯容器の斜視図（実施例１）。
【図２】足湯容器の折りたたみを説明する説明図（実施例１）。
【図３】足湯容器を吊下げている状態を説明する説明図（実施例１）。
【図４】足湯容器の説明図（実施例２）。
【図５】足湯容器の説明図（実施例３）。
【図６】足湯容器の説明図（実施例３）。
【図７】足湯容器の説明図（実施例４）。
【図８】足湯容器の説明図（実施例４）。
【発明を実施するための形態】
【００３３】
平坦に折りたたみ可能な足湯容器に、各々の壁板の内面、及び壁板と底板とを密着させない密着防止手段を備えさせることにより、足湯容器内面に付着した水滴が乾燥しやすく、足湯容器内面を衛生的に管理することが容易な足湯容器とした。
【実施例１】
【００３４】
実施例１では、密着防止手段をなす離間手段が舌片とされた足湯容器１を、図１から図３を参照して説明する。図１は、足湯容器１の斜視図を示している。図１（Ａ）図は、足湯容器の各々の壁板を起立させた状態を示し、図１（Ｂ）図は、各々の壁板を折り倒した状態を示している。図１（Ｃ）図は、図１（Ｂ）図のＡ−Ａ位置の断面図を示している。図２は、足湯容器１の折りたたみ方を説明する説明図である。図２（Ａ）図は、対をなす第１の壁板を外方に傾けた状態を示し、図２（Ｂ）図は、舌片を壁板に沿うように折り込んだ状態を示している。図３は、足湯容器を吊下げて乾燥させている状態を示している。【００３５】
まず、図１及び図２を参照して、足湯容器１の構成を説明する。足湯容器１は、底板１０が矩形形状とされ、底板１０の各縁から対をなす第１の壁板２０，２０と、対をなす第２の壁板３０，３０とが一体に備えられ、天面が開放された矩形形状の容器とされている。第１の壁板２０及び第２の壁板３０は、いずれも矩形形状とされている。足湯容器１は、可撓性樹脂からなるシート体の稜線を熱溶着させて形成させているが、耐水性を有する紙が折りたたまれて接着され形成されてもよい。また、一方の対をなす第１の壁板２０には、足湯容器を吊下げるための吊下げ孔２３が形成されている（図３参照）。足湯容器１の外形寸法は、縦が約４５ｃｍ、横が約５０ｃｍ、高さが約２０ｃｍとされているが、これに限定されない。【００３６】
各々の第１の壁板２０は、底辺両側から斜め上方に向かう折目２１を有し、外方に折りたたみ容易とされている。折目２１は、第１の壁板２０が折り曲げられて付与された折り癖とされている。各々の第１の壁板２０が前記折目に沿って外方に折り倒されると共に、各々の第２の壁板３０が内方に折り倒され、足湯容器１が平坦に折りたたまれた状態で、向かい合う第２の壁板の天辺３３，３３の間に隙間があけられ、対をなす第２の壁板同士が重ならないようにされている（図３参照）。同様に、向かい合う第１の壁板の天辺２４の中央部が重ならないようにされている。【００３７】
各々の第２の壁板３０は、内方に折り倒されて底板１０に沿うように折り倒される。各々の第２の壁板３０の天辺中央部には、密着防止手段をなす舌片４０が延設されている。各々の壁板が折り倒されることにより、足湯容器本体が平坦な状態に折りたたまれる（図１（Ｂ）図，図２（Ｂ）図参照）。【００３８】
舌片４０は、樹脂製の薄板からなり、基端部が熱溶着により対をなす第２の壁板と一体に形成されている。舌片４０を折り立てた状態のまま、各々の第２の壁板３０を内方に折り倒すと、舌片の先端が底板１０に当接し、底板１０と第２の壁板３０のいずれもが外方に凸となるように反った状態となり、各々の第２の壁板の内面３１と底板１０との間に隙間１１があけられる（図１（Ｃ）図参照）。同様に、折りたたまれた第１の壁板２０，２０の内面同士の間にも隙間があけられる。これにより、各々の壁板の内面と底板１０との密着が防止され、足湯容器内部が乾燥しやすくなり、足湯容器を衛生的に保つことが容易となる。なお、舌片の形状、材質、大きさ、数等が限定されないことは勿論のことである。【００３９】
ここで、足湯容器１の使用方法について説明する。まず、各々の第１の壁板２０が底板１０から伸びるように、足湯容器が折りたたまれて平坦とされた状態（図２（Ｂ）図参照）から、各々の壁板２０，３０を折り上げて壁板を起立させた状態とする（図１（Ａ）図参照）。そして、足湯容器１を浴室内に置き、第２の壁板３０が内方に倒れないように、両足を開いて各々の第２の壁板３０，３０を支えながらシャワー浴をすればよい。【００４０】
シャワー浴の後は、対をなす第１の壁板２０を外方に折り倒すようにすると、折目２１，２１の先端の高さが低くなり、足湯容器に溜まった湯水が排水される（図２（Ａ）図参照）。これにより、湯水が溜まって重くなった足湯容器を持ち上げなくても、容易に排水することができる。なお、対をなす第２の壁板３０を、内方に折り倒すようにして排水を行ってもよいことは勿論のことである。【００４１】
足湯容器から湯水を排水した後には、各々の第１の壁板２０，２０が垂直方向に並ぶように、吊下げ孔２３を介して吊り下げて水切りを行う（図３参照）。そうすると、足湯容器の内面に付着した水滴は、隣り合った折目の間２２から滴り落ちることになる。これにより、足湯容器内部が乾燥されやすくなり、足湯容器を衛生的に保つことが容易となる。また、足湯容器が平坦に折りたたまれた状態のままでも、水切りを行うことができるため、内部を乾燥させる際にも広い場所が必要とならず、浴室内に吊下げて乾燥させることもできるという有利な効果がある。【００４２】
足湯容器の内部が乾燥された後には、舌片４０を壁板に沿うように折り込んで、底板と各々の壁板の内面との隙間をなくし、足湯容器全体が平坦な状態となるように折りたたむことができる（図２（Ｂ）図参照）。これにより、足湯容器を小さく折りたたんで保管することが容易となる。
【実施例２】
【００４３】
実施例２では、密着防止手段が湾曲促進手段とされた足湯容器２を、図４を参照して説明する。図４（Ａ）図は、足湯容器２の平面図を示している。図４（Ｂ）図は、図４（Ａ）図のＡ−Ａ位置の断面図を示し、図４（Ｃ）図は、樹脂板の各々を外方に凸に湾曲させた状態を示している。以下、実施例１と同一の構成については同一の符号を付して説明を省略している。【００４４】
足湯容器２では、湾曲促進手段は、各々の壁板及び底板に一体に備えられる樹脂板とされている。各々の第１の壁板２０に備えられる樹脂板５０は、第１の壁板の天辺２４に沿って、折目に重ならないように備えられている。各々の第２の壁板３０に備えられる樹脂板５１は、第２の壁板の天辺３３に沿って備えられている。底板１０に備えられる樹脂板５２は、第２の壁板３０を内方に折り倒した状態で、前記樹脂板５１に沿って備えられている（図４（Ｂ）図参照）。樹脂板の形状・材質は限定されず、変形容易かつ変形後の形状を保持できるものであればよい。例えば、ポリプロピレン等からなる細幅材等であればよい。なお、これらの樹脂板の全てが備えられていなくてもよいことは勿論のことである。【００４５】
足湯容器から湯水を排水した後には、各々の壁板２０，３０と底板１０とを離間させるように、樹脂板５０，５１，５２の各々を外方に凸に湾曲させる。そうすると、各々の第２の壁板３０と底板１０との間、及び各々の第１の壁板の中央部と外方部との間に隙間があき、各々の壁板と底板との密着が防止される（図４（Ｃ）図参照）。この状態で実施例１と同様に、各々の第１の壁板を垂直方向に並ぶように、吊下げて水切りを行えばよい（図３参照）。
【実施例３】
【００４６】
実施例３では、各々の第１の壁板の中央部２９と、底板１０とが同一面をなすように足湯容器が折りたたまれた状態で（図６（Ｂ）図参照）、足湯容器の上方の面が折れ曲がって、足湯容器の壁板同士及び壁板と底板の間に隙間があいた状態となる足湯容器３を、図５及び図６を参照して説明する。図５（Ａ）図は、各々の壁板を起立させた状態の斜視図を示し、図５（Ｂ）図は、各々の第１の壁板を底板の裏面に沿うように折り返した状態の平面図を示している。図６（Ａ）図は、各々の第１の壁板の中央部を底板と同一面となるように折り倒した状態の平面図を示し、図６（Ｂ）図は、図６（Ａ）図のＡ−Ａ位置の断面図を示している。なお、足湯容器の上方の面とは、各々の第１の壁板の外方部及び各々の第２の壁板を指している。【００４７】
足湯容器３では、対をなす第２の壁板３２は、天辺３７の長さ（α１）が底辺３４の長さ（β）よりも長い台形形状とされ、第１の壁板２５と底板１０は矩形形状とされている。各々の壁板を折り倒し、各々の第１の壁板２５を、底板１０の裏面に沿うように折り返した状態では、各々の第２の壁板の側縁部３６が、底板の側縁１３から外方に僅かに突出した状態とされる（図５（Ｂ）図参照）。【００４８】
各々の壁板２５，３２を折り上げ、対をなす第２の壁板３２を垂直に起立させると、各々の第１の壁板の天辺２４は、対をなす第２の壁板の天辺３７と底辺３４との差の１／２の寸法（γ１）が、外方に突き出した状態で起立される（図５（Ａ）図参照）。【００４９】
各々の第１の壁板の中央部２９と、底板１０とが同一面となるように、足湯容器３を折りたたんだ状態では、一方の折目の上端２７から他方の折目の上端２７までの直線距離は、各々の第１の壁板２５の高さ（δ１，δ１）と、第２の壁板の底辺３４の長さ（β）の和となる（図６（Ｂ）図参照）。【００５０】
これに対して、一方の折目の上端２７から二つの壁板の接縁天部３５，３５を経由して他方の折目の上端２７に至る最短距離は、各々の壁板の天辺２４，３７，２４を辿り、左右の折目の上端２７から接縁天部３５までの距離（ε１，ε１）と、第２の壁板の天辺３７の長さ（α１）の和となる（図６（Ｂ）図参照）。これにより、一方の折目の上端２７から二つの壁板の接縁天部３５，３５を経由して他方の折目の上端２７に至る最短距離は、一方の折目の上端２７から他方の折目の上端２７までの直線距離よりも長くなる（図６（Ａ）図，図６（Ｂ）図参照）。【００５１】
そうすると、各々の第１の壁板の中央部２９と、底板１０とが同一面をなすように、足湯容器を折りたたんだ状態で、足湯容器の上方の面が折れ曲がって、各々の第２の壁板３２が、底板１０から離間されると共に、対をなす第１の壁板の外方部２８が、対をなす第１の壁板の中央部２９から離間された状態となる（図６（Ｂ）図参照）。これにより、各々の第１の壁板の中央部２９と底板１０とが同一面となるように折り倒された状態では、各々の壁板と底板との密着が防止され、足湯容器内部が乾燥されやすくなる（図６（Ｂ）図参照）。
【実施例４】
【００５２】
実施例４では、各々の第１の壁板の外方部６８と対をなす第２の壁板７２とが同一面をなすように折り倒された状態で（図８（Ｂ）図参照）、足湯容器の下方の面が折れ曲がって、足湯容器の壁板同士及び壁板と底板の間に隙間があいた状態となる足湯容器４を、図７及び図８を参照して説明する。図７（Ａ）図は、各々の壁板６５，７２を起立させた状態の斜視図を示し、図７（Ｂ）図は、各々の第１の壁板６５を第２の壁板の外面に沿うように折った状態の平面図を示している。図８（Ａ）図は、各々の第１の壁板の外方部と対をなす第２の壁板とが同一面となるように折り倒した状態の平面図を示し、図８（Ｂ）図は、図８（Ａ）図のＡ−Ａ位置の断面図を示している。なお、足湯容器の下方の面とは、各々の第１の壁板の中央部及び底板を指している。【００５３】
足湯容器４では、対をなす第２の壁板７２は、天辺７７の長さ（α２）が底辺７４の長さ（β）よりも短い台形形状とされ、対をなす第１の壁板６５と底板１０は矩形形状とされている（図７（Ａ）図参照）。各々の第１の壁板６５を、対をなす第２の壁板７２の外面に沿うように、各々の壁板６５，７２を折った状態では、各々の第２の壁板の側縁部７６が、底板の側縁１３から内方に僅かに入り込んだ状態とされる（図７（Ｂ）図参照）。【００５４】
各々の壁板６５，７２を折り上げ、対をなす第１の壁板６５及び対をなす第２の壁板７２を起立させた状態では、対をなす第１の壁板の天辺６４は、対をなす第２の壁板の天辺７７と底辺７４との差の１／２の寸法（γ２）が、内方に入り込んだ状態で起立される（図７（Ａ）図参照）。【００５５】
各々の第１の壁板の外方部６８と対をなす第２の壁板７２とが、同一面となるように折り倒された状態では、一方の折目の上端６７から対をなす第１の壁板６５と底板１０との二つの接縁１２，１２を経由して、他方の折目の上端６７に至る最短距離は、各々の第１の壁板６５の高さ（δ２，δ２）と第２の壁板の底辺７４の長さ（β）の和となる（図８（Ｂ）図参照）。【００５６】
これに対して、左右の折目の上端６７，６７の直線距離は、一方の折目の上端６７から他方の折目の上端６７を結ぶ仮想線の直線距離（ζ）となる。これにより、左右の折目の上端を結ぶ直線距離は、一方の折目の上端６７から対をなす第１の壁板６５と底板１０との二つの接縁１２，１２を経由して、他方の折目の上端６７に至る最短距離よりも短くなる（図８（Ｂ）図参照）。【００５７】
そうすると、足湯容器４の下方の面が折れ曲がって、各々の第２の壁板７２が、底板１０から離間されると共に、対をなす第１の壁板の外方部６８が、対をなす第１の壁板の中央部６９から離間された状態となる（図８（Ｂ）図参照）。これにより、各々の第１の壁板の外方部６８と対をなす第２の壁板７２とが、同一面となるように折り倒された状態では、各々の壁板と底板との密着が防止され、足湯容器内部が乾燥されやすくなる（図８（Ｂ）図参照）。【００５８】
（その他）
・実施例１では、舌片が離間手段とされ、第２の壁板に備えられた例を説明したが、舌片は第１の壁板に備えられてもよく、各々の壁板のいずれにも備えられてもよいことは勿論のことである。離間手段が、折り立てられない突出部材であってもよいことは勿論のことである。
・実施例３及び実施例４では、向かい合う二対の壁板のうち、一方の壁板を台形形状とし、他方の壁板を矩形形状としたが、壁板の形状は限定されず、例えば、二対の壁板共台形としてもよく、他の四角形状とされてもよい。
・各々の第１の壁板の折目を跨ぐように補助部材を装着させ、折目を一時的に折れにくくできるようにしてもよいことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００５９】
１，２，３，４…足湯容器、
１０…底板、１１…隙間、１２…接縁、１３…側縁、
２０…第１の壁板、２１…折目、２２…折目の間、２３…吊下げ孔、２４…天辺、２５…第１の壁板、２６…折目、２７…上端、２８…外方部、２９…中央部、
３０…第２の壁板、３１…内面、３２…第２の壁板、３３…天辺、３４…底辺、３５…接縁天部、３６…側縁部、３７…天辺、
４０…舌片、
５０，５１，５２…樹脂板、
６５…第１の壁板、６４…天辺、６６…折目、６７…上端、６８…外方部、６９…中央部、
７２…第２の壁板、７４…底辺、７５…接縁天部、７６…側縁部、７７…天辺
【図１】
2017149716.tif 000003
【図２】
2017149716.tif 000004
【図３】
2017149716.tif 000005
【図４】
2017149716.tif 000006
【図５】
2017149716.tif 000007
【図６】
2017149716.tif 000008
【図７】
2017149716.tif 000009
【図８】
2017149716.tif 000010
【手続補正書】
【提出日】平成28年9月21日(2016.9.21)
【手続補正１】
【補正対象書類名】特許請求の範囲
【補正対象項目名】全文
【補正方法】変更
【補正の内容】
【特許請求の範囲】
【請求項１】
四角形状とされた底板と、前記底板から起立された向かい合う二対の壁板とからなり、対をなす第１の壁板には、底辺両端から斜め上方中央部に向かうと共に、交差しないように天辺に至る一対の折目が備えられ、前記一対の折目を折って、各々の第１の壁板の前記一対の折目の内方部壁板を外方に折り倒し、各々の第１の壁板の前記一対の折目の外方部壁板を内方に折り倒し、対をなす各々の第２の壁板を内方に折り倒して平坦に折りたたみ可能とされる足湯容器において、
足湯浴後に、前記のように平坦に折りたたまれた前記足湯容器の容器内面を乾燥容易とさせる離間手段を備え、
前記離間手段は、足湯浴後に、前記足湯容器が前記のように平坦に折りたたまれた状態で、前記足湯容器をなす各々の第１の壁板の内面同士と、各々の第２の壁板と前記底板の内面同士のうちの、少なくとも各々の第２の壁板と前記底板の内面同士を隙間をあけた状態とさせて、前記容器内面を乾燥させる、
ことを特徴とする足湯容器。
【請求項２】
前記離間手段が、各々の第２の壁板の天辺中央部に形成された突出部材であって、
前記足湯容器が前記のように平坦に折りたたまれた状態で、
前記突出部材が、前記底板に接して、各々の第２の壁板と前記底板の内面同士を隙間をあけた状態とさせる、
ことを特徴とする請求項１に記載の足湯容器。
【請求項３】
前記離間手段が、湾曲可能な湾曲促進手段を含み、
前記湾曲促進手段が、板体からなり、
前記板体が、各々の第２の壁板又は前記底板のいずれかに備えられ、
前記板体が備えられる位置は、前記足湯容器が前記のように平坦に折りたたまれた状態で、第２の壁板においては天辺に沿う位置とされ、前記底板においては前記天辺に向かい合う位置とされ、
前記足湯容器が前記のように平坦に折りたたまれた状態で、前記板体を外方に凸に湾曲させることにより、前記板体が備えられた各々の第２の壁板又は前記底板のいずれかが外方に反らされ、各々の第２の壁板と前記底板の内面同士を隙間をあけた状態とさせる、
ことを特徴とする請求項１又は請求項２に記載の足湯容器。
【請求項４】
前記離間手段が、各々の第２の壁板の形状が、天辺が底辺よりも長い台形形状をなす形状とされ、
前記足湯容器を前記のように平坦に折りたたむと共に、各々の第１の壁板の前記折目の内方部壁板の壁面と、前記底板の底面とが同一面をなすように平坦に折りたたまれた状態で、
第２の壁板を挟んだ各々の第１の壁板と第２の壁板とがなす側辺の一対の上端を経由して、第２の壁板を挟んだ各々の第１の壁板の前記折目の上端を結ぶ最短距離が、前記折目の上端の直線距離よりも長く、
前記同一面をなすように平坦に折りたたまれた状態で、各々の第２の壁板と前記底板の内面同士を隙間をあけた状態とさせる、
ことを特徴とする請求項１乃至請求項３のいずれか一項に記載の足湯容器。
【請求項５】
前記離間手段が、各々の第２の壁板の形状が、天辺が底辺よりも短い台形形状をなす形状とされ、
前記足湯容器を前記のように平坦に折りたたむと共に、各々の第１の壁板の前記折目の外方部壁板の壁面と、各々の第１の壁板が挟む第２の壁板の壁面とが同一面をなすように平坦に折りたたまれた状態で、
各々の第１の壁板と前記底板とがなす一対の底辺を経由して、第２の壁板を挟んだ各々の第１の壁板の前記折目の上端を結ぶ最短距離が、前記折目の上端の直線距離よりも長く、
前記同一面をなすように平坦に折りたたまれた状態で、各々の第２の壁板と前記底板の内面同士を隙間をあけた状態とさせる、
ことを特徴とする請求項１乃至請求項３のいずれか一項に記載の足湯容器。
【請求項６】
前記足湯容器が吊下げ手段を有し、
前記吊下げ手段が、対をなす第１の壁板の少なくともいずれか一方に備えられ、
前記足湯容器が前記のように平坦に折りたたまれた状態で、前記吊下げ手段を介して前記足湯容器が垂直に吊下げられて、前記容器内面に付着した水分が、離間された第２の壁板の内面と前記底板の内面に伝って流下して、下方に位置する第１の壁板の各々の前記折目の上端の間から排水される、
ことを特徴とする請求項１乃至請求項５のいずれか一項に記載の足湯容器。
【手続補正２】
【補正対象書類名】明細書
【補正対象項目名】全文
【補正方法】変更
【補正の内容】
【発明の詳細な説明】
【技術分野】
【０００１】
本発明は、浴室内でシャワー浴をしながら、容易かつ衛生的に足湯浴をすることができる足湯容器に関する。詳細には、シャワー浴の後に容器内に溜まった湯水が排水しやすく、容器内面が乾燥されやすく、衛生的に管理しやすい足湯容器に関する。
【背景技術】
【０００２】
従来は、足湯容器は、下半身の血液循環の向上等の治療を目的として、居室内で椅子に座った姿勢で使用されていた。そのため、足湯容器内の湯水がこぼれにくいように、足湯容器は変形しにくく、一定の形状を有する容器とされていた。
【０００３】
従来、足湯容器の多くは、天面が開放された矩形容器とされている。足湯浴をするための足湯容器は大きく、湯水の量が多いため、女性や力の弱い高齢者等は、足湯浴後の排水に手間がかかっていた。排水が容易なように、足湯容器を浴室内に置こうとしても、浴室のスペースが限られるため、大きな容器を浴室内に置いたままにすることはできなかった。
【０００４】
一方、排水後に足湯容器の内面が濡れたままだと、雑菌が発生する可能性があり、衛生的に使用することができなかった。更に、複数の異なる足湯浴者が使用する場合や、足湯浴者の足に傷がある場合等には、より衛生的な足湯容器であることが求められていた。
【０００５】
特許文献１と特許文献２には、折りたたみ可能な容器の技術が開示されている。特許文献１には、椅子に座った姿勢で使用される足湯容器ではあるが、折りたたんで収容できるようにした足湯容器の技術が開示されている。胴部をシート状の軟質合成樹脂製とすると共に、着脱自在の芯材を、胴部の高さ方向に装着し、芯材が胴部に装着された状態では足湯容器の形状が保持され、芯材を取り外した状態では胴部が折りたたみ可能とされている。
【０００６】
この足湯容器は、椅子に座った状態で使用される足湯容器であり、湯水や石鹸の泡等により濡れた浴室内で、泡等で濡れた軟質樹脂性の胴部に、芯材を装着することは困難で、芯材が外れた場合には、素足を傷つける危険性もあった。
【０００７】
更に、胴部が伸ばされた状態のままでは、排水の際に湯水が入った足湯容器を持ち上げて傾ける必要があり、排水が困難であった。芯材を取り外して胴部を縮めた状態とすれば、排水が容易になる反面、折りたたまれて接した胴部の内壁部に付着した湯水が乾燥されにくく、容器内部を衛生的に保つことが困難であるという課題があった。
【０００８】
特許文献２には、折りたたみ可能な洗面器の技術が開示されている。特許文献２に記載された桝の形状をなす洗面器には、起立した向かい合う壁板のうち、折りたたまれる側の壁板には、底縁両端から天縁中央部に向かう斜めの折目が備えられ、全ての壁板が内方に向けて折りたたみ可能とされている。また、折目を有する壁板の天縁に沿って形状記憶合金からなる芯材が備えられている。洗面器が折りたたまれた状態から、各々の壁板を手で起こし起立させた状態とし、湯水を溜めれば、形状記憶合金が加温され、洗面器が起立した形状に保持される。
【０００９】
しかし、この容器の技術を、シャワー時に使用する足湯容器に適用しても、足湯容器に溜まった湯水を排水しようとすると、足湯容器を持ち上げて傾ける必要があり排水しにくく、無理に壁板を外方に倒して排水しようとすると、形状記憶合金が折れ、容器が破損しやすいという課題があった。また、排水して容器が空となった後には、壁板が内方に折れ曲がり、折れ曲がって接した胴部の壁部に付着した湯水が乾燥しにくく、容器内部を衛生的に保つことが困難であるという課題もあった。
【００１０】
そこで、本願の発明者は、足湯容器を持ち上げなくても容易に排水することができ、排水後には足湯容器内面が乾燥されやすく、足湯容器を衛生的に保つことが容易な足湯容器を提供することを課題とした。
【先行技術文献】
【特許文献】
【００１１】
特許文献１：特開２００３−１８０７８９号公報
特許文献２：特開２０１１−１１０４１６号公報
【発明の概要】
【発明が解決しようとする課題】
【００１２】
本発明は、浴室内でシャワー浴をしながら、容易かつ衛生的に足湯浴をすることができる足湯容器を提供することを課題としている。詳細には、シャワー浴の後に容器内に溜まった湯水が排水しやすく、容器内面が乾燥されやすく、衛生的に管理しやすい足湯容器を提供することを課題としている。
【００１３】
本発明の第１の発明の足湯容器は、四角形状とされた底板と、前記底板から起立された向かい合う二対の壁板とからなり、対をなす第１の壁板には、底辺両端から斜め上方中央部に向かうと共に、交差しないように天辺に至る一対の折目が備えられ、前記一対の折目を折って、各々の第１の壁板の前記一対の折目の内方部壁板を外方に折り倒し、各々の第１の壁板の前記一対の折目の外方部壁板を内方に折り倒し、対をなす各々の第２の壁板を内方に折り倒して平坦に折りたたみ可能とされる足湯容器において、足湯浴後に、前記のように平坦に折りたたまれた前記足湯容器の容器内面を乾燥容易とさせる離間手段を備え、前記離間手段は、足湯浴後に、前記足湯容器が前記のように平坦に折りたたまれた状態で、前記足湯容器をなす各々の第１の壁板の内面同士と、各々の第２の壁板と前記底板の内面同士のうちの、少なくとも各々の第２の壁板と前記底板の内面同士を隙間をあけた状態とさせて、前記容器内面を乾燥させることを特徴としている。
【００１４】
四角形状は、矩形形状に限定されない。大きさ・高さも限定されず、例えば、少なくとも踝までが湯水に浸かることができる大きさ・高さとされればよい。底板及び壁板の材質は、柔軟性のある樹脂製のシート体であってもよく、剛性のある樹脂製の板体であってもよく、防水紙であってもよく限定されず、例えば、ポリ塩化ビニル等の樹脂製シート体や、パラフィン紙、合成樹脂製の合成紙等であればよい。また、部位毎に異なった材質とされていてもよい。
【００１５】
足湯容器を、樹脂製シート体により構成させる場合には、平坦なシート体を組み合わせて、稜線部分を熱溶着し、足湯容器を形成させればよい。樹脂製シート体により構成させると、耐久性が高く、繰り返し使用できる足湯容器を提供することができる。一方、防水紙、例えばパラフィン紙から構成させる場合には、紙を折りたたんで、壁板を接着剤等により接着して組立て、湯水を溜める容器とすればよく、少量であっても、安価に足湯容器を提供することができる。
【００１６】
対をなす第１の壁板は、折目を折って、外方に倒すように折りたたみ容易とされている。そのため、各々の第１の壁板のいずれかを外方に倒すだけで、足湯容器に溜まった湯水が排水される。また、各々の第１の壁板が垂直方向となるように、第１の壁板を倒して吊下げれば、足湯容器の内部に付着した湯水が、足湯容器内面に沿って排水される。これにより、湯水が溜まって、重くなった足湯容器を持ち上げて傾ける必要がなく排水が容易である。また、足湯容器の内面が乾燥されやすく、足湯容器が衛生的に管理できる。
【００１７】
折目は、材質が紙質からなる場合は、折り癖をつけるだけでもよい。材質が樹脂製のシート体からなる場合は、折目の部分の性状が変えられてもよく、折り癖をつけるだけでもよく、材質を変えても、厚さを変えても、シート体よりも硬い板体を貼着させてもよく、限定されない。折目の傾斜角度は、限定されない。
【００１８】
離間手段は、各々の壁板を折り倒した状態で、各々の壁板の内面と底板とが接しないようにされればよく、その形態は限定されない。例えば、底板又は壁板のいずれかに、板面を反らせる樹脂板を備えさせ、板面を反らせることにより、壁板の内面と底板との間に隙間をあけてもよい。両端から斜め上方に向けての折目の角度を、４５度とは異ならせて壁板を台形形状とすることを離間手段とし、第１の壁板の中央部と外方部、及び第２の壁板と底板との間に隙間があくようにしてもよい。折目の近くで、第１の壁板の中央部と外方部の一部に接する部分があっても、少なくとも第２の壁板と底板との間に隙間があいているため、足湯容器内の湯水が排水されやすい。
【００１９】
本発明の第１の発明によれば、各々の第１の壁板が底板から延びるように折り倒された状態で、足湯容器の壁板同士及び壁板と底板の間に隙間があいた状態とすることができる。浴室の壁などに垂直方向に吊下げれば、足湯容器の内部に付着した湯水が、足湯容器内面に伝わって滴り落ち、僅かな水分が残っていても、水分が蒸発し、足湯容器の内面が乾燥され、衛生的に足湯容器を使用することができる。
【００２０】
これにより、浴室内でシャワー浴をしながら足湯浴をする場合であっても、シャワー浴の後に容器内に溜まった湯水が排水しやすく、衛生的に足湯浴ができるという、従来にない有利な効果が奏される。
【００２１】
本発明の第２の発明は、第１の発明の足湯容器であって、前記離間手段が、各々の第２の壁板の天辺中央部に形成された突出部材であって、前記足湯容器が前記のように平坦に折りたたまれた状態で、前記突出部材が、前記底板に接して、各々の第２の壁板と前記底板の内面同士を隙間をあけた状態とさせることを特徴としている。
【００２２】
離間手段の形状、数等はいずれも限定されない。離間手段を設ける場所は、第１の壁板又は第２の壁板の内面のいずれかの位置であればよい。離間手段を折り立てられる舌片とした場合には、足湯容器が乾燥された後には、舌片を壁板に沿うように折り込んで、底板と各々の壁板の内面との隙間をなくし、足湯容器全体を平坦な状態に折りたたむようにすればよい。第２の発明によれば、各々の第１の壁板が底板から延びるように折り倒された状態で、足湯容器の壁板同士及び壁板と底板の間に隙間があき、足湯容器の内面が接触せず、足湯容器が乾燥されやすく、衛生的に足湯容器を使用することができる。
【００２３】
本発明の第３の発明は、第１又は第２の発明の足湯容器であって、前記離間手段が、湾曲可能な湾曲促進手段を含み、前記湾曲促進手段が、板体からなり、前記板体が、各々の第２の壁板又は前記底板のいずれかに備えられ、前記板体が備えられる位置は、前記足湯容器が前記のように平坦に折りたたまれた状態で、第２の壁板においては天辺に沿う位置とされ、前記底板においては前記天辺に向かい合う位置とされ、前記足湯容器が前記のように平坦に折りたたまれた状態で、前記板体を外方に凸に湾曲させることにより、前記板体が備えられた各々の第２の壁板又は前記底板のいずれかが外方に反らされ、各々の第２の壁板と前記底板の内面同士を隙間をあけた状態とさせることを特徴としている。
【００２４】
底板又は壁板の双方、又はいずれか一方に、板体を外方に凸をなすように湾曲させる湾曲促進手段が備えられ、折り倒された足湯容器の内側に隙間があけられる。第３の発明によれば、各々の第１の壁板が底板から延びるように折り倒された状態で、足湯容器の壁板同士及び壁板と底板の間に隙間があき、足湯容器の内面の密着が防止され、足湯容器が乾燥されやすく、衛生的に足湯容器を使用することができる。
【００２５】
本発明の第４の発明は、第１から第３の発明の足湯容器であって、前記離間手段が、各々の第２の壁板の形状が、天辺が底辺よりも長い台形形状をなす形状とされ、前記足湯容器を前記のように平坦に折りたたむと共に、各々の第１の壁板の前記折目の内方部壁板の壁面と、前記底板の底面とが同一面をなすように平坦に折りたたまれた状態で、第２の壁板を挟んだ各々の第１の壁板と第２の壁板とがなす側辺の一対の上端を経由して、第２の壁板を挟んだ各々の第１の壁板の前記折目の上端を結ぶ最短距離が、前記折目の上端の直線距離よりも長く、前記同一面をなすように平坦に折りたたまれた状態で、各々の第２の壁板と前記底板の内面同士を隙間をあけた状態とさせることを特徴としている。
【００２６】
各々の第１の壁板の外方部と、各々の第２の壁板とが共に、第１の壁板の中央部と底板とがなす同一面から上方に凸をなすように膨らんだ状態とされる。第４の発明によれば、各々の第１の壁板が底板から延びるように折り倒された状態で、足湯容器の上方側となる面が上に折れ曲がって、足湯容器の壁板同士及び壁板と底板の間に隙間があき、足湯容器の内面の密着が防止され、足湯容器が乾燥されやすく、衛生的に足湯容器を使用することができる。
【００２７】
本発明の第５の発明は、第１から第３の発明の足湯容器であって、前記離間手段が、各々の第２の壁板の形状が、天辺が底辺よりも短い台形形状をなす形状とされ、前記足湯容器を前記のように平坦に折りたたむと共に、各々の第１の壁板の前記折目の外方部壁板の壁面と、各々の第１の壁板が挟む第２の壁板の壁面とが同一面をなすように平坦に折りたたまれた状態で、各々の第１の壁板と前記底板とがなす一対の底辺を経由して、第２の壁板を挟んだ各々の第１の壁板の前記折目の上端を結ぶ最短距離が、前記折目の上端の直線距離よりも長く、前記同一面をなすように平坦に折りたたまれた状態で、各々の第２の壁板と前記底板の内面同士を隙間をあけた状態とさせることを特徴としている。
【００２８】
各々の第１の壁板の中央部が、底板から屈曲されるようにして上方に上がり、第１の壁板の中央部と底板とは、第１の壁板の外方部と第２の壁板とがなす同一面から、下方に凸をなすように膨らんだ状態とされる。第５の発明によれば、各々の第１の壁板が底板から延びるように折り倒された状態で、足湯容器の下方側となる面が下に折れ曲がって、足湯容器の壁板同士及び壁板と底板の間に隙間があき、足湯容器の内面の密着が防止され、足湯容器が乾燥されやすく、衛生的に足湯容器を使用することができる。
【００２９】
本発明の第６の発明は、第１から第５の発明の足湯容器であって、前記足湯容器が吊下げ手段を有し、前記吊下げ手段が、対をなす第１の壁板の少なくともいずれか一方に備えられ、前記足湯容器が前記のように平坦に折りたたまれた状態で、前記吊下げ手段を介して前記足湯容器が垂直に吊下げられて、前記容器内面に付着した水分が、離間された第２の壁板の内面と前記底板の内面に伝って流下して、下方に位置する第１の壁板の各々の前記折目の上端の間から排水されることを特徴としている。
【００３０】
各々の第１の壁板が底板から延びるように折り倒された状態で吊下げることにより、足湯容器の中に湯水を残さないで排水することが可能となる。これにより、足湯容器が嵩張らないように折りたたまれた状態で吊下げることができ、従来足湯容器を使うことができなかった浴室でも、日常的に足湯容器を使うことができるという有利な効果を奏する。
【発明の効果】
【００３１】
・本発明の第１の発明によれば、各々の第１の壁板が底板から延びるように折り倒された状態で、足湯容器の壁板同士及び壁板と底板の間に隙間があいた状態とすることができる。浴室の壁などに垂直方向に吊下げれば、足湯容器の内部に付着した湯水が、足湯容器内面に沿って滴り落ち、僅かな水分が残っていても、水分が蒸発し、足湯容器の内面が乾燥され、衛生的に足湯容器を使用することができる。
・本発明の第２から第５の発明によれば、各々の第１の壁板が底板から延びるように折り倒された状態で、足湯容器の壁板同士及び壁板と底板の間に隙間があき、足湯容器の内面の密着が防止され、足湯容器が乾燥されやすく、衛生的に足湯容器を使用することができる。
・本発明の第６の発明によれば、足湯容器を嵩張らないように折りたたまれた状態で吊下げることができ、従来足湯容器を使うことができなかった浴室でも、日常的に足湯容器を使うことができるという有利な効果を奏する。
【図面の簡単な説明】
【００３２】
【図１】足湯容器の斜視図（実施例１）。
【図２】足湯容器の折りたたみを説明する説明図（実施例１）。
【図３】足湯容器を吊下げている状態を説明する説明図（実施例１）。
【図４】足湯容器の説明図（実施例２）。
【図５】足湯容器の説明図（実施例３）。
【図６】足湯容器の説明図（実施例３）。
【図７】足湯容器の説明図（実施例４）。
【図８】足湯容器の説明図（実施例４）。
【発明を実施するための形態】
【００３３】
平坦に折りたたみ可能な足湯容器に、各々の壁板の内面、及び壁板と底板との間に、折りたたんだ状態で隙間をあける離間手段を備えさせることにより、足湯容器内面に付着した水滴が乾燥しやすく、足湯容器内面を衛生的に管理することが容易な足湯容器とした。
【実施例１】
【００３４】
実施例１では、離間手段が舌片とされた足湯容器１を、図１から図３を参照して説明する。図１は、足湯容器１の斜視図を示している。図１（Ａ）図は、足湯容器の各々の壁板を起立させた状態を示し、図１（Ｂ）図は、各々の壁板を折り倒した状態を示している。図１（Ｃ）図は、図１（Ｂ）図のＡ−Ａ位置の断面図を示している。図２は、足湯容器１の折りたたみ方を説明する説明図である。図２（Ａ）図は、対をなす第１の壁板を外方に傾けた状態を示し、図２（Ｂ）図は、舌片を壁板に沿うように折り込んだ状態を示している。図３は、足湯容器を吊下げて乾燥させている状態を示している。
【００３５】
まず、図１及び図２を参照して、足湯容器１の構成を説明する。足湯容器１は、底板１０が矩形形状とされ、底板１０の各縁から対をなす第１の壁板２０，２０と、対をなす第２の壁板３０，３０とが一体に備えられ、天面が開放された矩形形状の容器とされている。第１の壁板２０及び第２の壁板３０は、いずれも矩形形状とされている。足湯容器１は、可撓性樹脂からなるシート体の稜線を熱溶着させて形成させているが、耐水性を有する紙が折りたたまれて接着され形成されてもよい。また、一方の対をなす第１の壁板２０には、足湯容器を吊下げるための吊下げ孔２３が形成されている（図３参照）。足湯容器１の外形寸法は、縦が約４５ｃｍ、横が約５０ｃｍ、高さが約２０ｃｍとされているが、これに限定されない。
【００３６】
各々の第１の壁板２０は、底辺両側から斜め上方に向かう折目２１を有し、外方に折りたたみ容易とされている。折目２１は、第１の壁板２０が折り曲げられて付与された折り癖とされている。各々の第１の壁板２０が前記折目に沿って外方に折り倒されると共に、各々の第２の壁板３０が内方に折り倒され、足湯容器１が平坦に折りたたまれた状態で、向かい合う第２の壁板の天辺３３，３３の間に隙間があけられ、対をなす第２の壁板同士が重ならないようにされている（図３参照）。同様に、向かい合う第１の壁板の天辺２４の中央部が重ならないようにされている。
【００３７】
各々の第２の壁板３０は、内方に折り倒されて底板１０に沿うように折り倒される。各々の第２の壁板３０の天辺中央部には、離間手段をなす舌片４０が延設されている。各々の壁板が折り倒されることにより、足湯容器本体が平坦な状態に折りたたまれる（図１（Ｂ）図，図２（Ｂ）図参照）。
【００３８】
舌片４０は、樹脂製の薄板からなり、基端部が熱溶着により対をなす第２の壁板と一体に形成されている。舌片４０を折り立てた状態のまま、各々の第２の壁板３０を内方に折り倒すと、舌片の先端が底板１０に当接し、底板１０と第２の壁板３０のいずれもが外方に凸となるように反った状態となり、各々の第２の壁板の内面３１と底板１０との間に隙間１１があけられる（図１（Ｃ）図参照）。同様に、折りたたまれた第１の壁板２０，２０の内面同士の間にも隙間があけられる。これにより、各々の壁板の内面と底板１０との密着が防止され、足湯容器内部が乾燥しやすくなり、足湯容器を衛生的に保つことが容易となる。なお、舌片の形状、材質、大きさ、数等が限定されないことは勿論のことである。
【００３９】
ここで、足湯容器１の使用方法について説明する。まず、各々の第１の壁板２０が底板１０から伸びるように、足湯容器が折りたたまれて平坦とされた状態（図２（Ｂ）図参照）から、各々の壁板２０，３０を折り上げて壁板を起立させた状態とする（図１（Ａ）図参照）。そして、足湯容器１を浴室内に置き、第２の壁板３０が内方に倒れないように、両足を開いて各々の第２の壁板３０，３０を支えながらシャワー浴をすればよい。
【００４０】
シャワー浴の後は、対をなす第１の壁板２０を外方に折り倒すようにすると、折目２１，２１の先端の高さが低くなり、足湯容器に溜まった湯水が排水される（図２（Ａ）図参照）。これにより、湯水が溜まって重くなった足湯容器を持ち上げなくても、容易に排水することができる。なお、対をなす第２の壁板３０を、内方に折り倒すようにして排水を行ってもよいことは勿論のことである。
【００４１】
足湯容器から湯水を排水した後には、各々の第１の壁板２０，２０が垂直方向に並ぶように、吊下げ孔２３を介して吊り下げて水切りを行う（図３参照）。そうすると、足湯容器の内面に付着した水滴は、隣り合った折目の間２２から滴り落ちることになる。これにより、足湯容器内部が乾燥されやすくなり、足湯容器を衛生的に保つことが容易となる。また、足湯容器が平坦に折りたたまれた状態のままでも、水切りを行うことができるため、内部を乾燥させる際にも広い場所が必要とならず、浴室内に吊下げて乾燥させることもできるという有利な効果がある。
【００４２】
足湯容器の内部が乾燥された後には、舌片４０を壁板に沿うように折り込んで、底板と各々の壁板の内面との隙間をなくし、足湯容器全体が平坦な状態となるように折りたたむことができる（図２（Ｂ）図参照）。これにより、足湯容器を小さく折りたたんで保管することが容易となる。
【実施例２】
【００４３】
実施例２では、離間手段が湾曲促進手段とされた足湯容器２を、図４を参照して説明する。図４（Ａ）図は、足湯容器２の平面図を示している。図４（Ｂ）図は、図４（Ａ）図のＡ−Ａ位置の断面図を示し、図４（Ｃ）図は、樹脂板の各々を外方に凸に湾曲させた状態を示している。以下、実施例１と同一の構成については同一の符号を付して説明を省略している。
【００４４】
足湯容器２では、湾曲促進手段は、各々の壁板及び底板に一体に備えられる樹脂板とされている。各々の第１の壁板２０に備えられる樹脂板５０は、第１の壁板の天辺２４に沿って、折目に重ならないように備えられている。各々の第２の壁板３０に備えられる樹脂板５１は、第２の壁板の天辺３３に沿って備えられている。底板１０に備えられる樹脂板５２は、第２の壁板３０を内方に折り倒した状態で、前記樹脂板５１に沿って備えられている（図４（Ｂ）図参照）。樹脂板の形状・材質は限定されず、変形容易かつ変形後の形状を保持できるものであればよい。例えば、ポリプロピレン等からなる細幅材等であればよい。なお、これらの樹脂板の全てが備えられていなくてもよいことは勿論のことである。
【００４５】
足湯容器から湯水を排水した後には、各々の壁板２０，３０と底板１０とを離間させるように、樹脂板５０，５１，５２の各々を外方に凸に湾曲させる。そうすると、各々の第２の壁板３０と底板１０との間、及び各々の第１の壁板の中央部と外方部との間に隙間があき、各々の壁板と底板との密着が防止される（図４（Ｃ）図参照）。この状態で実施例１と同様に、各々の第１の壁板を垂直方向に並ぶように、吊下げて水切りを行えばよい（図３参照）。
【実施例３】
【００４６】
実施例３では、各々の第１の壁板の中央部２９と、底板１０とが同一面をなすように足湯容器が折りたたまれた状態で（図６（Ｂ）図参照）、足湯容器の上方の面が折れ曲がって、足湯容器の壁板同士及び壁板と底板の間に隙間があいた状態となる足湯容器３を、図５及び図６を参照して説明する。図５（Ａ）図は、各々の壁板を起立させた状態の斜視図を示し、図５（Ｂ）図は、各々の第１の壁板を底板の裏面に沿うように折り返した状態の平面図を示している。図６（Ａ）図は、各々の第１の壁板の中央部を底板と同一面となるように折り倒した状態の平面図を示し、図６（Ｂ）図は、図６（Ａ）図のＡ−Ａ位置の断面図を示している。なお、足湯容器の上方の面とは、各々の第１の壁板の外方部及び各々の第２の壁板を指している。
【００４７】
足湯容器３では、対をなす第２の壁板３２は、天辺３７の長さ（α１）が底辺３４の長さ（β）よりも長い台形形状とされ、第１の壁板２５と底板１０は矩形形状とされている。各々の壁板を折り倒し、各々の第１の壁板２５を、底板１０の裏面に沿うように折り返した状態では、各々の第２の壁板の側縁部３６が、底板の側縁１３から外方に僅かに突出した状態とされる（図５（Ｂ）図参照）。
【００４８】
各々の壁板２５，３２を折り上げ、対をなす第２の壁板３２を垂直に起立させると、各々の第１の壁板の天辺２４は、対をなす第２の壁板の天辺３７と底辺３４との差の１／２の寸法（γ１）が、外方に突き出した状態で起立される（図５（Ａ）図参照）。
【００４９】
各々の第１の壁板の中央部２９と、底板１０とが同一面となるように、足湯容器３を折りたたんだ状態では、一方の折目の上端２７から他方の折目の上端２７までの直線距離は、各々の第１の壁板２５の高さ（δ１，δ１）と、第２の壁板の底辺３４の長さ（β）の和となる（図６（Ｂ）図参照）。
【００５０】
これに対して、一方の折目の上端２７から第１壁板と第２の壁板がなす側辺の上端３５，３５を経由して他方の折目の上端２７に至る最短距離は、各々の壁板の天辺２４，３７，２４を辿り、左右の折目の上端２７から第１壁板と第２の壁板がなす側辺の上端３５，３５までの距離（ε１，ε１）と、第２の壁板の天辺３７の長さ（α１）の和となる（図６（Ｂ）図参照）。これにより、一方の折目の上端２７から第１壁板と第２の壁板がなす側辺の上端３５，３５を経由して他方の折目の上端２７に至る最短距離は、一方の折目の上端２７から他方の折目の上端２７までの直線距離よりも長くなる（図６（Ａ）図，図６（Ｂ）図参照）。
【００５１】
そうすると、各々の第１の壁板の中央部２９と、底板１０とが同一面をなすように、足湯容器を折りたたんだ状態で、足湯容器の上方の面が折れ曲がって、各々の第２の壁板３２が、底板１０から離間されると共に、対をなす第１の壁板の外方部２８が、対をなす第１の壁板の中央部２９から離間された状態となる（図６（Ｂ）図参照）。これにより、各々の第１の壁板の中央部２９と底板１０とが同一面となるように折り倒された状態では、各々の壁板と底板との間に隙間があき、足湯容器内部が乾燥されやすくなる（図６（Ｂ）図参照）。
【実施例４】
【００５２】
実施例４では、各々の第１の壁板の外方部６８と対をなす第２の壁板７２とが同一面をなすように折り倒された状態で（図８（Ｂ）図参照）、足湯容器の下方の面が折れ曲がって、足湯容器の壁板同士及び壁板と底板の間に隙間があいた状態となる足湯容器４を、図７及び図８を参照して説明する。図７（Ａ）図は、各々の壁板６５，７２を起立させた状態の斜視図を示し、図７（Ｂ）図は、各々の第１の壁板６５を第２の壁板の外面に沿うように折った状態の平面図を示している。図８（Ａ）図は、各々の第１の壁板の外方部と対をなす第２の壁板とが同一面となるように折り倒した状態の平面図を示し、図８（Ｂ）図は、図８（Ａ）図のＡ−Ａ位置の断面図を示している。なお、足湯容器の下方の面とは、各々の第１の壁板の中央部及び底板を指している。
【００５３】
足湯容器４では、対をなす第２の壁板７２は、天辺７７の長さ（α２）が底辺７４の長さ（β）よりも短い台形形状とされ、対をなす第１の壁板６５と底板１０は矩形形状とされている（図７（Ａ）図参照）。各々の第１の壁板６５を、対をなす第２の壁板７２の外面に沿うように、各々の壁板６５，７２を折った状態では、各々の第２の壁板の側縁部７６が、底板の側縁１３から内方に僅かに入り込んだ状態とされる（図７（Ｂ）図参照）。
【００５４】
各々の壁板６５，７２を折り上げ、対をなす第１の壁板６５及び対をなす第２の壁板７２を起立させた状態では、対をなす第１の壁板の天辺６４は、対をなす第２の壁板の天辺７７と底辺７４との差の１／２の寸法（γ２）が、内方に入り込んだ状態で起立される（図７（Ａ）図参照）。
【００５５】
各々の第１の壁板の外方部６８と対をなす第２の壁板７２とが、同一面となるように折り倒された状態では、一方の折目の上端６７から対をなす第１の壁板６５と底板１０との二つの接縁１２，１２を経由して、他方の折目の上端６７に至る最短距離は、各々の第１の壁板６５の高さ（δ２，δ２）と第２の壁板の底辺７４の長さ（β）の和となる（図８（Ｂ）図参照）。
【００５６】
これに対して、左右の折目の上端６７，６７の直線距離は、一方の折目の上端６７から他方の折目の上端６７を結ぶ仮想線の直線距離（ζ）となる。これにより、左右の折目の上端を結ぶ直線距離は、一方の折目の上端６７から対をなす第１の壁板６５と底板１０との二つの接縁１２，１２を経由して、他方の折目の上端６７に至る最短距離よりも短くなる（図８（Ｂ）図参照）。
【００５７】
そうすると、足湯容器４の下方の面が折れ曲がって、各々の第２の壁板７２が、底板１０から離間されると共に、対をなす第１の壁板の外方部６８が、対をなす第１の壁板の中央部６９から離間された状態となる（図８（Ｂ）図参照）。これにより、各々の第１の壁板の外方部６８と対をなす第２の壁板７２とが、同一面となるように折り倒された状態では、各々の壁板と底板との間に隙間があき、足湯容器内部が乾燥されやすくなる（図８（Ｂ）図参照）。
【００５８】
（その他）
・実施例１では、舌片が離間手段とされ、第２の壁板に備えられた例を説明したが、舌片は第１の壁板に備えられてもよく、各々の壁板のいずれにも備えられてもよいことは勿論のことである。離間手段が、折り立てられない突出部材であってもよいことは勿論のことである。
・実施例３及び実施例４では、向かい合う二対の壁板のうち、一方の壁板を台形形状とし、他方の壁板を矩形形状としたが、壁板の形状は限定されず、例えば、二対の壁板共台形としてもよく、他の四角形状とされてもよい。
・各々の第１の壁板の折目を跨ぐように補助部材を装着させ、折目を一時的に折れにくくできるようにしてもよいことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等の意味および範囲内でのすべての変更が含まれることが意図される。
【符号の説明】
【００５９】
１，２，３，４…足湯容器、
１０…底板、１１…隙間、１２…接縁、１３…側縁、
２０…第１の壁板、２１…折目、２２…折目の間、２３…吊下げ孔、２４…天辺、２５…第１の壁板、２６…折目、２７…上端、２８…外方部、２９…中央部、
３０…第２の壁板、３１…内面、３２…第２の壁板、３３…天辺、３４…底辺、３５…第１壁板と第２の壁板がなす側辺の上端、３６…側縁部、３７…天辺、
４０…舌片、
５０，５１，５２…樹脂板、
６５…第１の壁板、６４…天辺、６６…折目、６７…上端、６８…外方部、６９…中央部、
７２…第２の壁板、７４…底辺、７６…側縁部、７７…天辺
【手続補正３】
【補正対象書類名】図面
【補正対象項目名】図８
【補正方法】変更
【補正の内容】
【図８】
2017149716.tif 000011
【国際調査報告】
2017149716.tif 000012
2017149716.tif 000013